(57)【要約】【課題】本流路が増水した場合でも漂流物によるトラブルが生じ難いフラップゲートを提供する。【解決手段】延在部２１を有する支持桁２と、支持桁２の延在部２１の下方に配置されるゲート本体３と、ゲート本体３の下端部に設けられたフロート４と、バランスウエイト５６を含み、ゲート本体３を支持桁２の延在部２１に揺動可能に支持するリンク機構５とを備える。リンク機構５は、ゲート本体３の全可動域に亘って、バランスウエイト５６を含む全体が法面１０ａの下方に位置するとともに、バランスウエイト５６が支流路１１の上方側に位置するように構成されている。【選択図】図１
2019044420.tif 000002
【特許請求の範囲】
【請求項１】
法面を有した本流路に合流する支流路の排水口を、前記各流路の流量に応じて開閉するフラップゲートであって、
前記支流路の上方であってかつ前記法面よりも低い位置に設けられ、前記排水口の位置から排水方向に突出して延在する延在部を備えた支持桁と、
前記支持桁の前記延在部の下方に配置されるゲート本体と、
前記ゲート本体の下端部に設けられたフロートと、
バランスウエイトを含み、前記排水口を閉じる閉止位置と前記排水口を開く開放位置との間で前記ゲート本体が揺動可能となるように、かつ、前記各流路の水流が所定水量未満のときには、前記バランスウエイトの重みで前記ゲート本体が前記閉止位置と前記開放位置との間の所定の中間揺動位置に保持されるように、前記ゲート本体を前記支持桁に支持するリンク機構と、を備え、
前記リンク機構は、前記ゲート本体の全可動域に亘って前記法面の下方に位置するように構成されている、ことを特徴とするフラップゲート。
【請求項２】
請求項１に記載のフラップゲートにおいて、
前記バランスウエイトが前記支流路の上方に位置するように前記リンク機構が構成されている、ことを特徴とするフラップゲート。
【請求項３】
請求項１又は２に記載のフラップゲートにおいて、
前記リンク機構は、前記支持桁に揺動自在に支持される第１リンクと、前記第１リンクの前記排水方向側に配置されて前記支持桁に揺動自在に支持される第２リンクと、前記第１リンクを挟んで前記第２リンクと反対側に配置されて前記支持桁に揺動自在に支持される第３リンクと、前記第１リンクと前記第３リンクとを連結する第４リンクとを備え、
前記第１リンクは、前記支持桁による支持位置から下方に延びるゲート本体支持片と、前記支持位置から上方かつ前記第３リンク側に延びる第４リンク連結片とを備え、
前記第２リンクは、前記支持桁による支持位置から下方に延び、前記ゲート本体が前記中間揺動位置に配置された状態で前記ゲート本体支持片と平行となるように配置され、
前記第３リンクは、その一端部と他端部との間に位置しかつ前記他端部が前記支流路の上方に位置するように前記支持桁に回動自在に支持される第３リンク支持部を備え、
前記第４リンクは、前記第１リンクの第４リンク連結片と前記第３リンクの前記一端部とのそれぞれに回動自在に連結され、
前記ゲート本体は、前記中間揺動位置にある状態から前記第３リンクが前記第３リンク支持部回りの一方向側に揺動するのに伴い前記閉止位置に変位するように、前記第１リンクのゲート本体支持片の下端および前記第２リンクの下端に回動自在に支持され、
前記バランスウエイトは、前記第３リンクの前記他端部に保持されている、ことを特徴とするフラップゲート。
【請求項４】
請求項３に記載のフラップゲートにおいて、
前記ゲート本体が前記中間揺動位置にある状態において、当該中間揺動位置から前記閉止位置に前記ゲート本体が揺動する際の前記第１リンクの揺動方向とは反対方向への当該第１リンクの揺動を規制する、リンク揺動規制部材を備え、
前記第２リンクは、前記支持桁に回動自在にかつ当該支持桁に対して相対的に移動可能に連結されている、ことを特徴とするフラップゲート。
【請求項５】
請求項４に記載のフラップゲートにおいて、
前記リンク揺動規制部材は、前記第３リンクに当接して前記一方向側とは反対の他方向側への当該第３リンクの揺動を規制する第３リンク当て止め部を備えている、ことを特徴とするフラップゲート。
【発明の詳細な説明】
【技術分野】
【０００１】
本発明は、河川、河口等の本流路に合流する用水路等の支流路の排水口を各流路の流量に応じて開閉することで支流への逆流等を防止するフラップゲートに関する。
【背景技術】
【０００２】
従来から、河川等の本流路に合流する用水路等の支流路の排水口を前記各流路の流量に応じて開閉することで、本流路から支流路への逆流を防止するフラップゲートが知れられており、出願人も特許文献１に開示されるようなフラップゲートを開発し提案している。
【０００３】
図５に示すように、特許文献１に開示されるフラップゲート１００は、支流路１１１の排水口１１１ａの位置から排水方向（Ｘ方向）に突出して延在する延在部１０２を備えた支持桁１０１と、前記延在部１０２の下方に配置される、フロート１０４を備えたゲート本体１０３と、このゲート本体１０３が揺動可能となるようにゲート本体１０３を前記延在部１０２に支持するリンク機構とを備えている。
【０００４】
リンク機構は、支持桁１０１に揺動自在に支持される第１リンク１０６と、第１リンク１０６よりも排水方向側の位置で支持桁１０１に揺動自在に支持される第２リンク１０７とを含む平行リンク機構であり、両リンク１０６、１０７の下端にゲート本体１０３が支持されている。第１リンク１０６は、上方かつ第２リンク１０７側、すなわち本流路１１０側に延びる上延設片１０６ｂを備えており、バランスウエイト１０５がこの上延設片１０６ｂの先端（上端）に保持されている。この構成により、本流路１１０及び支流路１１１の水流が所定水量未満のときには、バランスウエイト１０５の重みで、排水口１１１ａから所定間隙ｔ２だけ離れた中間揺動位置Ｂ１（実線で示す位置）にゲート本体１０３が保持され、本流路１１０の水量が前記所定水量以上になると、フロート１０４の浮力によってゲート本体１０３が上昇し、排水口１１１ａを閉じる閉止位置Ｂ２（破線で示す位置）に当該ゲート本体１０３が配置されるようになっている。
【先行技術文献】
【特許文献】
【０００５】
【特許文献１】特許第６１１４１６９号公報
【発明の概要】
【発明が解決しようとする課題】
【０００６】
しかしながら、特許文献１のフラップゲートでは、第１リンク１０６に上方かつ本流路１１０側に延びる上延設片１０６ｂが設けられ、この上延設片１０６ｂの先端にバランスウエイト１０５が保持されているため、実際に施行した場合には、本流路１１０の法面１１３から外方にバランスウエイト１０５が突出し、例えば本流路１１０が増水した場合には、本流路１１０を流れてくる漂流物がバランスウエイト１０５に衝突してリンク機構が損傷を受けたり、バランスウエイト１０５に漂流物が付着して作動不良を誘発することが考えられる。また、バランスウエイト１０５が目立ってしまい、悪戯の対象になることも考えられる。
【０００７】
本発明は、上記課題を解消するためになされたもので、本流路が増水した場合でも漂流物によるトラブルが生じ難いフラップゲートを提供することを目的とする。
【課題を解決するための手段】
【０００８】
前記課題を解決するために、本発明は、法面を有した本流路に合流する支流路の排水口を、前記各流路の流量に応じて開閉するフラップゲートであって、前記支流路の上方であってかつ前記法面よりも低い位置に設けられ、前記排水口の位置から排水方向に突出して延在する延在部を備えた支持桁と、前記支持桁の前記延在部の下方に配置されるゲート本体と、前記ゲート本体の下端部に設けられたフロートと、バランスウエイトを含み、前記排水口を閉じる閉止位置と前記排水口を開く開放位置との間で前記ゲート本体が揺動可能となるように、かつ、前記各流路の水流が所定水量未満のときには、前記バランスウエイトの重みで前記ゲート本体が前記閉止位置と前記開放位置との間の所定の中間揺動位置に保持されるように、前記ゲート本体を前記支持桁に支持するリンク機構と、を備え、前記リンク機構は、前記ゲート本体の全可動域に亘って前記法面の下方に位置するように構成されていることを特徴とするフラップゲートを提供する。
【０００９】
このフラップゲートの構成によれば、リンク機構が、ゲート本体の全可動域に亘って法面の下方に位置するように構成されているので、本流路が増水した場合でも、漂流物がバランスウエイトに衝突したり、リンク機構の各部に付着し難くい。また、法面よりも下方にバランスウエイトが位置するため目立ち難く、悪戯の対象となり難くなる。
【００１０】
上記フラップゲートにおいては、前記バランスウエイトが前記支流路の上方に位置するように前記リンク機構が構成されているのが好適である。
【００１１】
この構成によれば、バランスウエイトを法面から外方に飛び出させることなく、当該バランスウエイトが変位するスペースを支持桁上方に良好に確保することが可能となる。そのため、ゲート本体の全可動域に亘って法面の下方に位置するような上記クランク機構を構築する上で有利となる。
【００１２】
上記フラップゲートにおいて、より具体的には、前記リンク機構は、前記支持桁に揺動自在に支持される第１リンクと、前記第１リンクの前記排水方向側に配置されて前記支持桁に揺動自在に支持される第２リンクと、前記第１リンクを挟んで前記第２リンクと反対側に配置されて前記支持桁に揺動自在に支持される第３リンクと、前記第１リンクと前記第３リンクとを連結する第４リンクとを備え、前記第１リンクは、前記支持桁による支持位置から下方に延びるゲート本体支持片と、前記支持位置から上方かつ前記第３リンク側に延びる第４リンク連結片とを備え、前記第２リンクは、前記支持桁による支持位置から下方に延び、前記ゲート本体が前記中間揺動位置に配置された状態で前記ゲート本体支持片と平行となるように配置され、前記第３リンクは、その一端部と他端部との間に位置しかつ前記他端部が前記支流路の上方に位置するように前記支持桁に回動自在に支持される第３リンク支持部を備え、前記第４リンクは、前記第１リンクの第４リンク連結片と前記第３リンクの前記一端部とのそれぞれに回動自在に連結され、前記ゲート本体は、前記中間揺動位置にある状態から前記第３リンクが前記第３リンク支持部回りの一方向側に揺動するのに伴い前記閉止位置に変位するように、前記第１リンクのゲート本体支持片の下端および前記第２リンクの下端に回動自在に支持され、前記バランスウエイトは、前記第３リンクの前記他端部に保持されている。
【００１３】
この構成によれば、ゲート本体の全可動域に亘って法面の下方に位置するようにリンク機構を構成しながら、ゲート本体を良好に閉止位置と開放位置との間で揺動させることが可能となる。
【００１４】
この場合、前記ゲート本体が前記中間揺動位置にある状態において、当該中間揺動位置から前記閉止位置に前記ゲート本体が揺動する際の前記第１リンクの揺動方向とは反対方向への当該第１リンクの揺動を規制する、リンク揺動規制部材を備え、前記第２リンクは、前記支持桁に回動自在にかつ当該支持桁に対して相対的に移動可能に連結されているのが好適である。
【００１５】
この構成によると、例えば支流路が増水して中間揺動位置にある状態のゲート本体に排水方向の押圧力がかかった場合、第１、３，４リンクの揺動が規制された状態で第２リンクの上端部が支持桁に対して相対的に移動する。これにより、ゲート本体は、第１リンクのゲート本体支持片との連結部回りに揺動して開放位置に変位する。従って、リンク機構の可動範囲を極力制限しながら、すなわち、リンク機構を法面から外方に飛び出させるような構成を採用することなく、ゲート本体をより大きく揺動させることが可能となる。
【００１６】
前記リンク揺動規制部材は、前記第３リンクに当接して前記一方向側とは反対の他方向側への当該第３リンクの揺動を規制する第３リンク当て止め部を備えているのが好適である。
【００１７】
前記リンク揺動規制部材は、第１リンクに直接当接してその揺動を規制するものでもよいが、上記構成によれば、法面の位置との関係で、第３リンク回りの比較的余裕のあるスペースを利用してリンク揺動規制部材を設けることが可能となる。
【発明の効果】
【００１８】
本発明によれば、本流路が増水した場合でも漂流物によるトラブルが生じ難いフラップゲートを提供することが可能となる。
【図面の簡単な説明】
【００１９】
【図１】本発明のフラップゲートの側面図である。
【図２】前記フラップゲートの正面図である。
【図３】ゲート本体が排水口を閉めた閉止位置にある状態の側面図である。
【図４】ゲート本体が排水口を開放する際の側面図である。
【図５】従来のフラップゲートの側面図である。
【発明を実施するための形態】
【００２０】
以下、本発明を実施するための形態について、図面を参照しながら詳細に説明する。
【００２１】
図１は、本発明のフラップゲートの側面図であり、図２は、前記フラップゲートの正面図である。
【００２２】
本発明のフラップゲート１は、河川、河口等の本流路１０に合流する用水路等の支流路１１の排水口１２を、各流路１０、１１の流量に応じて開閉することで本流路１０から支流路１１への逆流等を防止するものである。本流路１０は、法面１０ａを有しており、また、この実施形態では、支流路１１の排水口１２は、矩形状を呈している。
【００２３】
フラップゲート１は、図１、図２に示すように、支流路１１の上方であってかつ法面１０ａよりも低い位置に設けられた左右一対の支持桁２と、排水口１２を開閉するゲート本体３と、ゲート本体３に浮力を付与するフロート４と、ゲート本体３を前記支持桁２に支持するリンク機構５とを備えている。
【００２４】
各支持桁２は、内外一対の外支持桁２ａ及び内支持桁２ｂを備えている。外支持桁２ａと内支持桁２ｂとは、所定間隔を隔てて配置されている。
【００２５】
外支持桁２ａ及び内支持桁２ｂは、排水口１２の位置から排水方向（Ｘ方向）に突出して延在する延在部２１を備えている。
【００２６】
ゲート本体３は、排水口１２を閉め得る大きさからなる矩形状の本体部３１と、本体部３１の上端部の左右両端に設けられた吊りブラケット３２とを備えている。
【００２７】
ゲート本体３は、排水口１２を閉じる閉止位置Ａ２（図３の実線に示す位置）と排水口１２を開く開放位置Ａ３（図４の一点鎖線で示す位置）との間で揺動可能となるように、かつ、各流路１０、１１の水流が所定水量未満のときには、後述のバランスウエイト５６の重みでゲート本体３が閉止位置Ａ２と開放位置Ａ３との間における所定の中間揺動位置Ａ１（図１に示す位置）に保持されるようになっている。中間揺動位置Ａ１は、ゲート本体３が排水口１２から所定間隙ｔ１だけ離れた位置、すなわち閉止位置Ａ２から所定間隙ｔ１だけ離れた位置である。したがって、ゲート本体３が中間揺動位置Ａ１にある状態では、排水口１２が開放され、これにより支流路１１の流水が排水口１２を通じて本流路１０に流入する。
【００２８】
フロート４は、ゲート本体３の下端部に、その左端から右端の幅全体にわたって配置されている。
【００２９】
リンク機構５は、くの字状の第１リンク５１と、第１リンク５１の排水方向（Ｘ方向）側に配置される直線状の第２リンク５２と、第１リンク５１を挟んで第２リンク５２と反対側に配置される直線状の第３リンク５３と、第１リンク５１と第３リンク５３とを連結する直線状の第４リンク５４と、第３リンク５３の揺動を規制するリンク揺動規制部材５５と、バランスウエイト５６とを備えており、ゲート本体３の全可動域に亘って前記法面１０ａの下方に位置するように構成されている。
【００３０】
第１リンク５１は、ゲート本体支持片５１１と、ゲート本体支持片５１１と略垂直をなす第４リンク連結片５１２と、支持桁２の延在部２１に回動自在に支持される第１リンク支持部５１３とを備えている。第１リンク支持部５１３は、ゲート本体支持片５１１と第４リンク連結片５１２との間の位置に設けられている。
【００３１】
ゲート本体支持片５１１は、第１リンク支持部５１３の位置（すなわち、支持桁２による支持位置）から支持桁２の下方に延び、下端部にゲート本体３の前記吊りブラケット３２と回動自在に連結されるゲート本体連結部５１１ａを備えている。第４リンク連結片５１２は、第１リンク支持部５１３の位置から支持桁２の上方かつ第３リンク５３側に向かって延びている。
【００３２】
第２リンク５２は、第１リンク５１のゲート本体支持片５１１と略同じ長さに形成されており、ゲート本体３が中間揺動位置Ａ１にある状態で、ゲート本体支持片５１１と平行になるように配置される。第２リンク５２の上端部には、リンク長手方向に延びる長孔からなる第２リンク連結部５２１が設けられている。この第２リンク連結部５２１を介して第２リンク５２が延在部２１側の支軸に支持されることにより、第２リンク５２が支持桁２の延在部２１に対して回動自在にかつリンク長手方向に相対的に移動可能に連結されている。
【００３３】
第２リンク５２の下端部は、ゲート本体３の吊りブラケット３２に回動自在に連結されている。
【００３４】
第３リンク５３は、その一端部５３２と他端部５３３との中間部に、支持桁２に回動自在に支持される第３リンク支持部５３１を備えている。第３リンク５３の前記一端部５３２は第１リンク５１側に配置され、第３リンク５３の前記他端部５３３は第３リンク支持部５３１を挟んで第１リンク５１と反対側に配置されている。
【００３５】
第３リンク５３の他端部５３３は、支流路１１の上方に配置されている。この実施形態では、第３リンク５３の他端部５３３および第３リンク支持部５３１は支流路１１の上方に配置されているが、この形態に限らず、少なくとも第３リンク５３の他端部５３３が支流路１１の上方に配置されていればよく、適宜変更できる。
【００３６】
第４リンク５４は、第１リンク５１の第４リンク連結片５１２と第３リンク５３の前記一端部５３２とにそれぞれ回動自在に連結されている。
【００３７】
このようなリンク機構５の構成により、第３リンク５３が第３リンク支持部５３１回りに揺動すると、具体的には図１の時計回り（本発明の一方向側、図１中のＺ１方向側）に揺動すると、ゲート本体３が第４リンク５４及び第１、第２リンク５１、５２を介して中間揺動位置Ａ１から図３の実線に示す閉止位置Ａ２に揺動する。
【００３８】
リンク揺動規制部材５５は、ゲート本体３が中間揺動位置Ａ１にある状態において、第３リンク５３が図１の反時計回り（本発明の他方向側、図１中のＺ２方向側）に揺動することを規制するものである。リンク揺動規制部材５５は、支持桁２に固定的に固定されており、第３リンク５３に当接して当該第３リンク５３の揺動を規制する第３リンク当て止め部５５１を備えている。第３リンク当て止め部５５１は、ゲート本体３が中間揺動位置Ａ１にある状態において第３リンク５３に上方側から当接する。
【００３９】
バランスウエイト５６は、左右の第３リンク５３の前記他端部５３３、つまり第１リンク５１とは反対側の端部に架け渡された状態で当該第３リンク５３に保持されている。これにより、バランスウエイト５６は、支流路１１の上方に配置されている。
【００４０】
このように構成されたリンク機構５は、各流路１０、１１の水流が所定水量未満のときには、バランスウエイト５６の重みでゲート本体３が閉止位置Ａ２と開放バランスウエイト位置Ａ３との間の中間揺動位置Ａ１に保持されるように設定されている。
【００４１】
詳しくは、図１に示すように、ゲート本体３が中間揺動位置Ａ１にある状態で、第１リンク５１の第１リンク支持部５１３からゲート本体連結部５１１ａまでの水平距離をａ、第１リンク支持部５１３から第４リンク連結片５１２と第４リンク５４との連結部までの水平距離をｄ、第３リンク５３の第３リンク支持部５３１から第３リンク５３と第４リンク５４との連結部までの水平距離をｅ、第３リンク支持部５３１からバランスウエイト５６の中心までの水平距離をｂ、ゲート本体３の重量をＷｇ、バランスウエイト５６の重量をＷｂとすると、ゲート本体３の重量Ｗｇによりゲート本体３に働く第１リンク支持部５１３回りの開モーメントＭ１（図１では時計回りのモーメント）、およびバランスウエイト５６の重量Ｗｂによりゲート本体３に働く第１リンク支持部５１３回りの閉モーメントＭ２（図１の反時計回りのモーメント）は下記式で示される。
【００４２】
Ｍ１＝Ｗｇ×ａ
Ｍ２＝Ｗｂ×ｂ×（ｄ／ｅ）
そして、この実施形態では、Ｍ１＝Ｍ２となるように、上記水平距離ａ、ｂ、ｄ、ｅ及び重量Ｗｇ、Ｗｂが設定されている。
【００４３】
この構成により、各流路１０、１１の水流が所定水量未満のとき（図１の状態）には、バランスウエイト５６の重みでゲート本体３が中間揺動位置Ａ１に保持される。
【００４４】
次に、この実施形態のフラップゲート１の動作について説明する。図１の状態から、本流路１０の水位が高くなると、ゲート本体３にはフロート４の浮力Ｆが作用し、これによりゲート本体３には第１リンク支持部５１３回りの閉モーメントＭ３（図３では反時計回りのモーメント）が働く。
【００４５】
詳しくは、フロート４の浮力をＦとし、第１リンク支持部５１３からフロート４の中心までの距離をｃとすると、ゲート本体３には、上記モーメントＭ１、Ｍ２に加えて更に閉モーメントＭ３＝Ｆ×ｃが働く。その結果、ゲート本体３の第１リンク支持部５１３回りのモーメントＭ１〜Ｍ３の関係は、Ｍ１＜Ｍ２＋Ｍ３となり、図３の実線に示すように、ゲート本体３が中間揺動位置Ａ１から閉止位置Ａ２に揺動する。これにより、排水口１２がゲート本体３により閉止され、本流路１０から支流路１１への水の逆流が防止される。
【００４６】
尚、ゲート本体３が閉止位置Ａ２にある状態において、図３に示すように、第１リンク支持部５１３から第４リンク連結片５１２と第４リンク５４との連結部までの水平距離をｄ１、第３リンク５３の第３リンク支持部５３１から第３リンク５３と第４リンク５４との連結部までの水平距離をｅ１、第３リンク支持部５３１からバランスウエイト５６の中心までの水平距離をｂ１、第１リンク支持部５１３からフロート４の中心までの水平距離をｃ１とすると、ゲート本体３の第１リンク支持部５１３回りのモーメントＭ１〜Ｍ３は、
Ｍ１＝Ｗｇ×ａ１
Ｍ２＝Ｗｂ×ｂ１×（ｄ１／ｅ１）
Ｍ３＝Ｆ１×ｃ１
となる。よって、ゲート本体３の第１リンク支持部５１３回りのモーメントＭ１〜Ｍ３の関係は、Ｍ１＜Ｍ２＋Ｍ３となり、ゲート本体３は、閉止位置Ａ２で本流路１０側から支流路１１に押し付けられた状態になる。
【００４７】
次に、図１の状態から、支流路１１の水位が高くなると、ゲート本体３は、支流路１１の水圧によって本流路１０側に押圧される。その押圧力により、第３リンク５３は、第１、第４リンク５１、５４を介して図１の反時計回り（図１中のＺ２方向側）に揺動するように力を受ける。しかし、第３リンク５３は、リンク揺動規制部材５５によって反時計回りの揺動が規制されるため、第１、第４のリンク５１、５４の揺動も規制される。
【００４８】
そのため、前記押圧力を受けてゲート本体３が本流路１０側に押圧されると、ゲート本体３は、ゲート本体連結部５１１ａ回りに揺動することとなる。この際、図４に示すよういに、第２リンク５２が、支持桁２の延在部２１に対して回動しつつリンク長手方向に移動することで、ゲート本体３の揺動が許容される。これにより、ゲート本体３が前記押圧力に応じて、すなわち支流路１１の流量に応じて、図４中の実線に示す半開位置Ａ４、さらには一点鎖線に示す開放位置Ａ３まで揺動することとなる。これにより、支流路１１から本流路１０へ水が円滑に流入し、本流路１０から支流路１１への逆流が防止される。
【００４９】
なお、このようにゲート本体３が開放位置Ａ３まで揺動した場合でも、第２リンク５２が法面１０ａから外方に飛び出すことが無いように、当該第２リンク５２の長さや第２リンク連結部５２１の寸法が設定されている。
【００５０】
以上説明したように、本発明のフラップゲート１によれば、ゲート本体３の全可動域に亘って、バランスウエイト５６を含む機構全体が法面１０ａの下方に位置するようにリンク機構５が構成されているので、本流路１０が増水した場合でも、漂流物がリンク機構５に衝突したり、リンク機構５の各部に付着し難くい。特に、バランスウエイト５６が支流路１１の上方に配置されているため、漂流物がバランスウエイト５６に衝突したり、付着するおそれが少ない。従って、上記フラップゲート１によれば、漂流物がバランスウエイト５６に衝突してリンク機構５が損傷を受けたり、バランスウエイト５６やその他の部分に漂流物が付着してゲート本体３の作動不良を誘発するといった、漂流物によるトラブルが生じ難くなる。また、法面１０ａよりも下方にバランスウエイト５６が位置するためリンク機構５が目立ち難く、よって、悪戯の対象にもなり難くなる。
【００５１】
また、上記フラップゲートによれば、ゲート本体３が中間揺動位置Ａ１にある状態で支流路１１が増水し、これによりゲート本体に押圧力が作用した場合には、第１、３，４のリンク５１、５３，５４の揺動が規制されて、前記押圧力の大きさに応じてゲート本体３が第１リンク５１のゲート本体連結部５１１ａ回りに揺動する。つまり、ゲート本体３が半開位置Ａ４、さらには開放位置Ａ３まで揺動する。そのため、リンク機構５の可動範囲を極力制限しながら、すなわち、リンク機構５を法面１０ａから外方に飛び出させることなく、ゲート本体３をより大きく揺動させることができる。
【００５２】
この場合、リンク揺動規制部材５５は、上記の通り、第３リンク５３に当接することにより当該第３リンク５３の揺動を規制するものなので、法面１０ａの位置との関係で、第３リンク５３回りの比較的余裕のあるスペースを利用してリンク揺動規制部材５５を設けることができるという利点がある。つまり、スペース的に余裕がある第３リンク５３回りにリンク揺動規制部材５５を設けることで、当該リンク揺動規制部材５５が法面１０ａから外方に飛び出ることを避けることができる。
【００５３】
以上説明したフラップゲートは、本発明に係るフラップゲートの好ましい実施形態の例示であって、その具体的な構成は、本発明の要旨を逸脱しない範囲で変更可能である。例えば、以下のような構成を採用することもできる。
【００５４】
上記実施形態では、リンク揺動規制部材５５は、第３リンク５３の揺動を規制するように構成されているが、この形態のものに限らず、適宜変更できる。例えば、リンク揺動規制部材５５は、第１リンク５１や第４リンク５４の揺動を規制するものであってもよい。また、ゲート本体３が中間揺動位置Ａ１にある状態で、第３リンク５３の一端部５３２が支流路１１を形成する支流路形成部に当接することで、第３リンク５３が第３リンク支持部５３１回りに他方向側に揺動できないように構成したものでもよい。要するに、リンク揺動規制部材５５は、ゲート本体３が中間揺動位置Ａ１にある状態において、当該中間揺動位置Ａ１から閉止位置Ａ２にゲート本体３が揺動する際の第１リンク５１の揺動方向とは反対方向への第１リンク５１の揺動を直接的に又は間接的に規制し得る構成であればよい。
【符号の説明】
【００５５】
１  フラップゲート
２  支持桁
３  ゲート本体
４  フロート
５  リンク機構
１０  本流路
１０ａ  法面
１１  支流路
１２  排水口
５１  第１リンク
５２  第２リンク
５３  第３リンク
５４  第４リンク
５５  リンク揺動規制部材
５６  バランスウエイト
【図１】
2019044420.tif 000003
【図２】
2019044420.tif 000004
【図３】
2019044420.tif 000005
【図４】
2019044420.tif 000006
【図５】
2019044420.tif 000007